(57)【要約】  通信システムの端末局（１）における信号受信を制御する方法であって、少なくとも１つの制御チャネル上で第１の基地局（２）からデータ（Ｄ１，Ｄ２）を受信する。端末局は少なくとも１つの第２の基地局（３，４）により送信される信号を周期的に測定するように適合されている。端末局は、前記少なくとも１つの制御チャネル上にデータ信号（Ｄ２）が存在している期間が測定（Ｍ２）を実行する期間と少なくとも部分的に重なり合っているか否かを調べ、前記少なくとも１つの制御チャネル上でのデータ受信を優先させて測定の実行を不能にする。
2008520142.tif 000002
【特許請求の範囲】
【請求項１】
通信システムの端末局における信号受信を制御する方法において、少なくとも１つの制御チャネル上で第１の基地局からデータを受信し、ここで、前記端末局は少なくとも１つの第２の基地局により送信される信号を周期的に測定するように適合されており、前記端末局は、前記少なくとも１つの制御チャネル上にデータ信号が存在している期間が測定実行の期間と少なくとも部分的に重なり合っているか否かを調べ、前記少なくとも１つの制御チャネル上でのデータ受信を優先させて測定の実行を不能にすることを特徴とする、通信システムの端末局における信号の受信を制御する方法。
【請求項２】
前記少なくとも１つの制御チャネルはマルチメディアブロードキャスト−マルチキャストサービス（ＭＢＭＳ）チャネルに関連している、請求項１記載の方法。
【請求項３】
前記少なくとも１つの制御チャネル上のデータを周期的に繰り返す、請求項１又は２記載の方法。
【請求項４】
前記少なくとも１つの制御チャネル上のデータは関連するＭＢＭＳチャネルのコンフィギュレーションの変化に関するものである、請求項２又は３記載の方法。
【請求項５】
前記変化に関するすべてのデータが端末局により受信されるまで測定の実行を不能にする、請求項４記載の方法。
【請求項６】
通信システムの端末局であって、少なくとも１つの制御チャネル上で第１の基地局からデータを受信する手段と、少なくとも１つの第２の基地局により送信される信号を周期的に測定する測定手段と、前記少なくとも１つの制御チャネル上にデータ信号が存在している期間が測定実行の期間と少なくとも部分的に重なり合っているか否かを調べる処理手段と、前記少なくとも１つの制御チャネル上でのデータ受信を優先させて測定の実行を不能にするディスエーブル手段とを有することを特徴とする、通信システムの端末局。
【請求項７】
前記端末局は移動端末局である、請求項６記載の端末局。
【請求項８】
少なくとも１つの基地局と請求項１に記載の方法を実行する少なくとも１つの端末局とを有することを特徴とする通信システム。
【請求項９】
少なくとも１つの基地局と請求項６に記載の少なくとも１つの移動端末局とを有することを特徴とする通信システム。
【発明の詳細な説明】
【技術分野】
【０００１】
本発明は通信システムの、特に移動体無線通信システムの、端末局における信号受信を制御する方法に関する。
【０００２】
無線通信システムでは、信号はいわゆる無線インターフェースないしエアインターフェースを介して無線端末局間、及び、無線局と基地局との間で交換される。このような無線端末局は移動可能な又は定置のユーザ端末又はユーザ装置（ＵＥ）である。基地局、すなわち、ノードＢは地上通信ネットワークに関連したアクセス局である。公知の無線通信システムの例としては、グローバル移動体通信システム（ＧＳＭ）のような、１００ｋｂｉｔ／ｓまでのデータ速度を提供する時分割多重接続（ＴＤＭＡ）に基づいた第２世代デジタル移動体無線通信システムと、ユニバーサル移動体通信システム（ＵＭＴＳ）のような、２Ｍｂｉｔ／ｓまでのデータ速度を提供する符号分割多重接続（ＣＤＭＡ）に基づいた第３世代デジタル移動体無線通信システムがある。
【０００３】
ＧＳＭ、ＧＳＭエッジ無線アクセスネットワーク（ＧＥＲＡＮ）、ＵＭＴＳ、ＵＭＴＳ地上無線アクセスネットワーク（ＵＴＲＡＮ）のような現在の無線通信システムの新しい特徴は、マルチメディアブロードキャスト−マルチキャストサービス（ＭＢＭＳ）の提供である。特定のＭＢＭＳサービスがアクティブになっているセルにユーザ装置が存在していれば、マルチキャストＭＢＭＳサービスの無線ベアラが基地局のセル内でセットアップされる。ＭＢＭＳと以前のサービスとの主な相違点の１つは、ＭＢＭＳはユーザ装置がアイドルモードにあるときでも、すなわち、ネットワークへの無線接続が確立されていないときでも、提供及び使用が可能であることである。このサービスはマルチキャスト又はブロードキャストのいずれかのモードでポイントツーマルチポイント接続を使用する。ＭＢＭＳの一般的な原理は規格文書３ＧＰＰ  ＴＲ  ２５．９９２，Ｖ１．２．０  （２００３−０１）"Multimedia Broadcast Multicast Service (MBMS); UTRAN/GERAN Requirements"、ＴＲ  ２３．８４６，Ｖ６．１．０  （２００３−０１）"MBMS; Architecture and functional description (Release 6)"、ＴＳ  ２２．１４６，Ｖ６．６．０  （２００４−１０）"MBMS; Stage 1 (Release 6)"及びＴＳ  ４５．００２，Ｖ６．６．０  （２００４−０５）"Multiplexing and multiple access on the radio path (Release 6)に記載されている。
【０００４】
ＵＴＲＡＮへのＭＢＭＳの導入に伴って、基地局のセルにおけるＭＢＭＳコンフィギュレーションに関するかなりの量の制御情報がＭＢＭＳ制御チャネル（ＭＣＣＨ）上で提供される。ＵＥは、自らが登録されているセルで提供されるサービスに基づいて、このＭＣＣＨを周期的に読み取らなければならない。情報のスケジューリングとＭＣＣＨのさらに別のパラメータについては、規格文書３ＧＰＰ  ＴＳ  ２５．３４６  Ｖ６．２．０  （２００４−０９）、チャプター５．２に詳細に記載されている。
【０００５】
しかし、既存のＵＥの挙動は、動作すべきセルを選択するためにＵＥが隣接セルの測定を周期的に行わなければならないということを条件としている。これらの測定のためにＵＥは他のセルで提供されているチャネルを測定しなければならないが、単一の受信ＵＥでは、これらのチャネルを測定すると同時に自らのセルで聴くということはできない。
【０００６】
ＭＣＣＨが繰り返される期間が、ＵＥが隣接セルの測定を行わなければならない場合の発生頻度の倍数であれば、この問題は悪化する。
【０００７】
ＭＣＣＨで提供される情報は、上記ＴＳ２５．３４６で定義されているように、修正期間として知られる期間にわたって繰り返される。この期間が、ＵＥにＭＣＣＨ情報の１つの静的な集合が提供される期間を規定している。通知目的で使用される情報のいつくかはこの期間の間に変化することがありうるが、このことは重要ではない。修正期間内の情報は何回も繰り返され、それぞれの繰り返しは繰り返し期間として知られている。各修正期間は正確に繰り返し期間の倍数である。
【０００８】
各修正期間の開始時には、セル内で続行中のサービスのうちで、直前の修正期間以来、コンフィギュレーションパラメータの変化したのはどのサービスなのか、また変化していないのはどのサービスなのかについての情報を含んだインデックスが送信される。ＵＥは修正期間ごとにＭＣＣＨを読み取らなければならないが、このインデックスは読み取りの時間を短縮するために送信される。インデックスが正しく読み取られなかった場合、ＵＥはすべての情報を成功裡に読み取り終わるまでＭＣＣＨの全体を読み取らなければならない。
【０００９】
それゆえ、上記のような状況において効率的に新たな接続を確立する方法が求められている。
【００１０】
本発明の第１の側面によれば、通信システムの端末局における信号受信を制御する方法において、少なくとも１つの制御チャネル上で第１の基地局からデータが受信され、ここで、前記端末局は少なくとも１つの第２の基地局により送信される信号を周期的に測定するように適合されており、前記端末局は、前記少なくとも１つの制御チャネル上にデータ信号が存在している期間が測定実行の期間と少なくとも部分的に重なり合っているか否かを調べ、前記少なくとも１つの制御チャネル上でのデータ受信を優先させて測定の実行を不能にする。
【００１１】
従来的には、隣接セルの測定が絶対的に優先されるが、本発明は規定されている測定期間よりも少ない測定期間で十分に品質の良い測定が得られるという事実を活用しているため、従来技術のシステムで提案されているように、制御データの受信と測定との間に衝突がある場合に測定を遅延するのではなく、むしろ、単に特定の測定期間においては測定を行わずに他の期間に得られた測定のみを使用することで、その特定の期間における制御データの受信に優先権を与える。これによりシステムの全体的な効率性が向上する。
【００１２】
好ましくは、前記少なくとも１つの制御チャネルはマルチメディア−マルチキャストサービス（ＭＢＭＳ）チャネルに関連している。
【００１３】
好ましくは、前記少なくとも１つの制御チャネル上のデータは周期的に繰り返される。
【００１４】
好ましくは、前記少なくとも１つの制御チャネル上のデータは関連するＭＢＭＳチャネルのコンフィギュレーションの変化に関するものである。
【００１５】
好ましくは、測定の実行は前記変化に関するすべてのデータが端末局によって受信されるまで不能にされる。
【００１６】
本発明の第２の側面によれば、通信システムの端末局は、少なくとも１つの制御チャネル上で第１の基地局からデータを受信する手段と、少なくとも１つの第２の基地局により送信される信号を周期的に測定する測定手段と、が前記少なくとも１つの制御チャネル上にデータ信号が存在している期間が測定実行の期間と少なくとも部分的に重なり合っているか否かを調べる処理手段と、前記少なくとも１つの制御チャネル上でのデータ受信を優先させて測定の実行を不能にするディスエーブル手段とを有する。
【００１７】
端末局は静的な端末局であってもよいが、好ましくは移動端末である。
【００１８】
本発明の第３の側面によれば、通信システムは、第１の側面による方法を実行するために、少なくとも１つの基地局と少なくとも１つの端末局とを有する。
【００１９】
本発明の第４の側面によれば、通信システムは、少なくとも１つの基地局と第２の側面による少なくとも１つの端末局とを有する。
【００２０】
以下に、本発明による方法と装置の１つの例を添付図面を参照して説明する。
【００２１】
図１は、本発明の無線通信ネットワークのブロック図を示している。
【００２２】
図２は、本発明の方法を適用するための制御チャネルデータと測定期間の相対的出現を示したものである。
【００２３】
図１には、端末局１が基地局２にデータを送信し、ＭＢＭＳ制御チャネル（ＭＣＣＨ）上で基地局からシグナリングを受信する典型的な構成が示されている。種々の時点に、端末局１は隣接セル３及び４の測定を行わなければならない。
【００２４】
図２に示されているように、ＭＣＣＨ上でデータが送信されている期間が隣接セルの測定の行われる期間と重なる又は一致する場合には、衝突が生じうる。
【００２５】
始めに、データブロックＤ１が送信され、測定期間Ｍ１はその後に現れる。次に、インデックスＩ２が送信され、それに続いて次のデータブロックＤ２が送信される。第２の測定期間Ｍ２の次にはすぐに第３の測定期間Ｍ３が配置されている。しかしながら、Ｍ３はインデックスＩ３で始まる次のＭＣＣＨ期間と重なり合っている。それゆえ、端末局１がインデックスを読み終え、かつ、インデックスＩ３が端末局に関係する情報があることとを示していれば、隣接セルの測定に優先してＤ３が読み取られる。
【００２６】
したがって、ＵＥが測定期間とＭＣＣＨ修正期間の境界もしくは繰り返し期間との同時出現を検出した場合にはいつでも、ＵＥはまずインデックスを成功裡に読み終わるまでＭＣＣＨの読み取りに優先権を与える。ＵＥがこの修正期間のインデックスを読み終え、かつ、このインデックスがこのＭＣＣＨ修正期間にはＵＥが読み取らなければならないものは存在していないことを示していれば、ＵＥは現行の規定通りに測定期間を継続する。ＵＥがこの修正期間のインデックスを読み終え、かつ、このインデックスがＵＥに関係する情報が存在することを示していれば、ＵＥは、関連するサービス情報を運ぶＭＣＣＨブロックを成功裡に読み終わるまで、一致する測定機会にではなく、ＭＣＣＨの読み取りに優先権を与える。その後、ＵＥは規定通りに測定期間を続行する。
【図面の簡単な説明】
【００２７】
【図１】本発明の無線通信ネットワークのブロック図を示す。
【図２】本発明の方法を適用するための制御チャネルデータと測定期間の相対的出現を示す。
【図１】
2008520142.tif 000003
【図２】
2008520142.tif 000004
【手続補正書】
【提出日】平成18年9月11日(2006.9.11)
【手続補正１】
【補正対象書類名】特許請求の範囲
【補正対象項目名】全文
【補正方法】変更
【補正の内容】
【特許請求の範囲】
【請求項１】
通信システムの端末局（１）における信号受信を制御する方法において、少なくとも１つの制御チャネル上で第１の基地局からデータを受信し、ここで、前記少なくとも１つの制御チャネルはマルチメディアブロードキャスト−マルチキャストサービス（ＭＢＭＳ）チャネルに関連しており、前記端末局（１）は少なくとも１つの第２の基地局（２）により送信される信号の周期的な測定（Ｍ１，Ｍ２，Ｍ３）を行うように適合されており、前記端末局は、前記少なくとも１つの制御チャネル上にデータ信号（Ｄ２，Ｄ３）が存在している期間が測定（Ｍ１，Ｍ２，Ｍ３）を実行する期間と少なくとも部分的に重なり合っているか否かを調べ、前記少なくとも１つの制御チャネル上でのデータ受信を優先させて測定の実行を不能にすることを特徴とする、通信システムの端末局における信号の受信を制御する方法。
【請求項２】
前記少なくとも１つの制御チャネル上のデータを周期的に繰り返す、、請求項１記載の方法。
【請求項３】
前記少なくとも１つの制御チャネル上のデータは関連するＭＢＭＳチャネルのコンフィギュレーションの変化に関するものである、請求項１又は２記載の方法。
【請求項４】
前記変化に関するすべてのデータが端末局（１）により受信されるまで測定の実行を不能にする請求項３記載の方法。
【請求項５】
通信システムの端末局（１）であって、少なくとも１つの制御チャネル上で第１の基地局（２）からデータを受信する手段と、少なくとも１つの第２の基地局により送信される信号の周期的な測定（Ｍ１，Ｍ２，Ｍ３）を行う測定手段と、前記少なくとも１つの制御チャネル上にデータ信号（Ｄ２，Ｄ３）が存在している期間が測定を実行する期間と少なくとも部分的に重なり合っているか否かを調べる処理手段と、前記少なくとも１つの制御チャネル上でのデータ受信を優先させて測定の実行を不能にするディスエーブル手段とを有しており、前記少なくとも１つの制御チャネルはマルチメディアブロードキャスト−マルチキャストサービス（ＭＢＭＳ）チャネルに関連していることを特徴とする、通信システムの端末局。
【請求項６】
前記端末局は移動端末局である、請求項５記載の端末局。
【請求項７】
請求項１に記載の方法を実行するために少なくとも１つの基地局（２）と少なくとも１つの端末局（１）とを有することを特徴とする通信システム。
【請求項８】
前記少なくとも１つの移動端末局（１）は請求項５に記載の移動端末局である、請求項７記載の通信システム。
【手続補正２】
【補正対象書類名】明細書
【補正対象項目名】０００９
【補正方法】変更
【補正の内容】
【０００９】
それゆえ、上記のような状況において効率的に新たな接続を確立する方法が求められている。
Ericsson: "Measurement requirements and MBMS reception"; 3GPP TSG-RAN WG4 #32, R4-040437; 16.-20.08.2004; pages 1 to 11; XP002362097には、ＭＢＭＳセッション中にＭＢＭＳ復号による周波数間測定とＲＡＴ間測定との間に衝突の問題が存在することが記載されている。
Siemens: "Measurement requirements and MBMS reception in Cell-FACH state"; 3GPP TSG RAN WG4 #32, R4-040413; 18.-20.08.2004; pages 1 to 5; XP002362098 には、ＭＢＭＳサービス品質に対するＭＢＭＳデータ損失の影響に対処するための複数のオプションが記載されている。
【手続補正３】
【補正対象書類名】明細書
【補正対象項目名】００１０
【補正方法】変更
【補正の内容】
【００１０】
本発明の第１の側面によれば、通信システムの端末局における信号受信を制御する方法において、少なくとも１つの制御チャネル上で第１の基地局からデータが受信され、ここで、前記少なくとも１つの制御チャネルはマルチメディアブロードキャスト−マルチキャストサービス（ＭＢＭＳ）チャネルに関連しており、前記端末局は少なくとも１つの第２の基地局により送信される信号の周期的な測定を行うように適合されており、前記端末局は、前記少なくとも１つの制御チャネル上にデータ信号が存在している期間が測定実行の期間と少なくとも部分的に重なり合っているか否かを調べ、前記少なくとも１つの制御チャネル上でのデータ受信を優先させて測定の実行を不能にする。
【手続補正４】
【補正対象書類名】明細書
【補正対象項目名】００１６
【補正方法】変更
【補正の内容】
【００１６】
本発明の第２の側面によれば、通信システムの端末局は、少なくとも１つの制御チャネル上で第１の基地局からデータを受信する手段と、少なくとも１つの第２の基地局により送信される信号の周期的な測定を行う測定手段と、が前記少なくとも１つの制御チャネル上にデータ信号が存在している期間が測定実行の期間と少なくとも部分的に重なり合っているか否かを調べる処理手段と、前記少なくとも１つの制御チャネル上でのデータ受信を優先させて測定の実行を不能にするディスエーブル手段とを有しており、前記少なくとも１つの制御チャネルはマルチメディアブロードキャスト−マルチキャストサービス（ＭＢＭＳ）チャネルに関連している。
【手続補正５】
【補正対象書類名】明細書
【補正対象項目名】００１９
【補正方法】変更
【補正の内容】
【００１９】
好ましくは、前記少なくとも１つの端末局は第２の側面による移動端末局である。
【国際調査報告】
2008520142.tif 000005
2008520142.tif 000006